(57)【要約】  【課題】  クロック信号の高調波と送信波とによって生成されるスプリアス成分による受信性能劣化を防止することができ、送受周波数間隔に適切に対応することができる移動通信装置を提供すること。  【解決手段】  送受周波数間隔がカメラ部２０を駆動する駆動クロック信号の高調波と一致するかまたは近傍にあるのかを判定し、送受周波数間隔と一致するまたは近傍にある駆動クロック信号の高調波と送信波とにより生成され、受信帯域に落ち込むスプリアス成分を送信出力電力に対応付け、送信出力電力と予め設定された閾値との比較を行い、送受周波数間隔がカメラ部２０の駆動クロック信号の高調波と一致または近傍であるものと判定され、かつ、送信出力電力が閾値以上であるものと判定されたとき、カメラ部２０の駆動クロック信号の周波数を変更する。【選択図】  図１
2006319891.tif 000002
【特許請求の範囲】
【請求項１】
駆動制御回路から出力されるクロック信号により駆動される駆動回路を備えた同時送受信方式の移動通信装置であって、
送受周波数間隔が前記クロック信号の高調波と一致するかまたは近傍にあるのかを判定する送受周波数間隔判定手段と、
送信出力電力と予め設定された閾値とを比較する送信出力電力判定手段と、
前記送受周波数間隔が前記クロック信号の高調波と一致または近傍であるものと判定され、かつ、前記送信出力電力が前記閾値以上であるものと判定されたとき、前記駆動制御回路のクロック信号の周波数を変更する周波数変更手段とを備えたことを特徴とする移動通信装置。
【請求項２】
駆動制御回路から出力されるクロック信号により駆動される撮像装置を備えた同時送受信方式の移動通信装置であって、
送受周波数間隔が前記クロック信号の高調波と一致するかまたは近傍にあるのか判定する送受周波数間隔判定手段と、
前記送受周波数間隔と一致するまたは近傍にある前記クロック信号の高調波と送信波とにより生成され受信帯域に落ち込むスプリアス成分を送信出力電力に対応付け、前記送信出力電力と予め設定された閾値との比較を行う送信出力電力判定手段と、
前記送受周波数間隔が前記クロック信号の高調波と一致または近傍であるものと判定され、かつ、前記送信出力電力が前記閾値以上であるものと判定されたとき、前記駆動制御回路のクロック信号の周波数を変更する周波数変更手段とを備えたことを特徴とする移動通信装置。
【請求項３】
前記周波数変更手段によって変更されたクロック信号を、変更前のクロック信号の高域側と低域側の何れか一方に可変可能であることを特徴とする請求項１または請求項２に記載の移動通信装置。
【請求項４】
前記送受周波数間隔判定手段は、複数の送受周波数間隔と前記クロック信号とが一致するかまたは近傍にあるのかを判定することを特徴とする請求項１乃至請求項３記載の何れか１項に記載の移動通信装置。
【請求項５】
送受周波数間隔が異なる複数の無線通信システムに接続されることを特徴とする請求項１乃至請求項３の何れか１項に記載の移動通信装置。
【発明の詳細な説明】
【技術分野】
【０００１】
本発明は、移動通信装置に関し、例えば、クロック信号によって駆動される撮像装置等の駆動回路を搭載した同時送受信方式に対応した移動通信装置に関する。
【背景技術】
【０００２】
近年、携帯電話等の移動通信装置の発達に伴い、市販される移動通信装置には各種アプリケーションが搭載されており、中でもカメラ等の撮像装置の搭載が必須の仕様になっている。
【０００３】
ところが、カメラを搭載する移動通信装置にあっては、アンテナの実装位置とカメラの実装位置関係が近接している場合に、カメラを駆動したときの駆動クロック信号の影響により受信感度が劣化することが懸念される。例えば、カメラの駆動クロック信号の高調波が受信周波数に一致する場合に、低電界レベルの受信時においては、受信性能の大幅な劣化を招くことになる。
【０００４】
このような不具合を解消するために、携帯電話等の移動通信装置において、カメラの駆動クロック信号の高調波が受信周波数に一致するときに、受信周波数を受信したタイミングでカメラの駆動クロック信号を変更することにより、受信性能の劣化を防止するようにしている（例えば、特許文献１参照）。
【０００５】
【特許文献１】特開２００４−１７９８６１公報（段落番号〔００３９〕乃至〔００５３〕、図１乃至図３および図６）
【発明の開示】
【発明が解決しようとする課題】
【０００６】
しかしながら、このような従来の移動通信装置にあっては、カメラの駆動クロック信号の高調波と受信周波数とが一致し、かつ受信周波数の電界レベルが予め設定された閾値と比較して低いものと判定したときに、受信周波数を受信したタイミングでカメラの駆動クロック信号を変更するよう制御して受信性能の劣化を防止するようにしているため、同時送受信方式に対応した移動通信装置に適用した場合に、カメラの駆動クロック信号の高調波と送信波とで生成されるスプリアス成分が受信帯域に落ち込んでしまう。
このため、駆動クロック信号の高調波が受信周波数と一致しないようにクロック制御をするだけでは、受信性能劣化を防止することはできないという問題があった。
【０００７】
以下、このメカニズムを図４に基づいて説明する。
図４は同時送受信方式に対応した移動通信装置の無線部とカメラ部のブロック図である。図４において、カメラ部１は無線部に接続されており、この無線部は、通信時に送信動作を行うための送信回路２と、通信時に受信動作を行うための受信回路３と、送信回路２と受信回路３とを分離・結合するデュプレクサ４と、通信環境に応じて複数のアンテナ６を選択的に切り替えるアンテナスイッチ５とを備えており、アンテナスイッチ５はアンテナ６に接続されている。
【０００８】
ここで、無線部が通信状態にあり、送信回路２が送信波ｆｔｘ、受信回路３が受信波ｆｒｘの周波数で動作し、カメラ部１が駆動クロックｆｃで駆動しているものとする。このとき、アンテナ６を介して送信波とカメラ部１を駆動する駆動クロック信号が受信回路３に入力される。
【０００９】
このとき、受信回路３の非線形性により受信回路３に入力される周波数成分より、スプリアス成分ｆｉｍが生成される。スプリアス成分ｆｉｍはｆｔｘ±ｆｃ×ｎ（ｎは整数、高調波を指す）で与えられ、例えばｆｔｘ＝８３２．５ＭＨｚ、ｆｒｘ＝８７７．５ＭＨｚ、ｆｃ＝９ＭＨｚとすると、ｆｉｍは８３２．５ＭＨｚ±９ＭＨｚ×５＝７８７．５ＭＨｚ、８７７．５ＭＨｚとなり、受信周波数と一致する８７７．５ＭＨｚのスプリアス成分が生成され、受信性能の劣化を招くことになる。
【００１０】
これを回避するためには、カメラ部１の駆動クロック信号を、その高調波が送受周波数間隔と一致しないように選択し、送信波によって生成され受信周波数と一致するスプリアス成分を発生させないように制御を行う必要がある。
【００１１】
送受周波数間隔が既知である無線通信システムにおいては、予め上述した問題が発生しないようにカメラ部１の駆動クロック信号を設定しておけば良いが、可変送受周波数間隔の無線通信システムや、送受周波数間隔が異なる複数の無線通信システムに対応する場合に、駆動クロック信号を適宜制御する必要がある。
【００１２】
具体的に、Ｗ−ＣＤＭＡのデュアルシステムを例に挙げて説明する。送受周波数間隔が１９０ＭＨｚである２ＧＨｚ帯Ｗ−ＣＤＭＡシステムと送受周波数間隔が４５ＭＨｚである８００ＭＨｚ帯Ｗ−ＣＤＭＡシステムの双方に対応する場合に、カメラ部１の駆動クロック信号を９ＭＨｚに設定すると、２ＧＨｚ帯Ｗ−ＣＤＭＡシステムでは２１倍の高調波が１８９ＭＨｚ、２２倍の高調波が１９８ＭＨｚとなり送受信号の周波数間隔１９０ＭＨｚと一致することはない（受信帯域に落ち込むことはない）。
【００１３】
しかしながら、８００ＭＨｚ帯Ｗ−ＣＤＭＡシステムでは５倍の高調波が４５ＭＨｚとなり送受周波数間隔４５ＭＨｚと一致し、受信帯域に落ち込んでしまう。このように送受周波数間隔の異なる複数の無線通信システムにおいては、固定のカメラ部１の駆動クロック信号であると、片方のシステムにおいて駆動クロック信号の影響による受信性能の劣化を招くことが考えられ、カメラ部１の駆動クロック信号を双方のシステムに対して受信性能を劣化させないように適宜制御する必要がある。
【００１４】
ここで、上述した例に挙げたＷ−ＣＤＭＡシステムにおいて、各周波数チャネルは帯域（Ｗ−ＣＤＭＡ：３．８４ＭＨｚ帯域）を持っていることから、カメラ部１の駆動クロック信号の高調波と送信波とで生成される、受信周波数帯域に落ち込むスプリアス成分も帯域を持つこととなる。
【００１５】
このため、上述した例をもって説明すると、カメラ部１の駆動クロック信号の９ＭＨｚの２１倍である１８９ＭＨｚの高調波と送信波とで生成されるスプリアス成分は、受信周波数とは一致しないが、受信帯域には落ち込むことになって受信性能を劣化させてしまう。
【００１６】
したがって、送受周波数間隔がカメラ部１の駆動クロック信号の高調波と全く一致しない場合でも、チャネル帯域幅を考慮してカメラ部１の駆動クロック信号を制御する必要がある。
【００１７】
また、カメラ部１の駆動クロック信号の高調波と送信波とによって生成されるスプリアス成分の振幅レベルは、前記２波の振幅レベルに比例するため、駆動クロック信号の振幅レベルが一定である場合には、送信出力電力が高ければ高いほど、受信帯域に落ち込むスプリアス成分のレベルが高くなり、その影響により受信性能の劣化量が増すことになる。
【００１８】
また、カメラ部１の駆動クロック信号の制御は、送信出力電力を考慮して適宜行う必要がある。ここで、送受周波数間隔がカメラ部１の駆動クロック信号の高調波と一致または近傍であっても、送信出力電力が十分に低ければ、スプリアス成分が受信帯域に落ち込んでも受信性能に影響を与えないことが考えられる。
【００１９】
したがって、送信出力電力を考慮する場合は、受信性能の劣化が始まるポイントにおける送信出力電力を予め閾値として設定し、通信時に送信出力電力がこの閾値以上である場合に、カメラ部１の駆動クロック信号の変更を行うようにする必要がある。
【００２０】
本発明は、上記の問題点を解決するためになされたもので、クロック信号の高調波と送信波とによって生成されるスプリアス成分による受信性能劣化を防止することができ、送受周波数間隔に適切に対応することができる移動通信装置を提供することを目的とする。
【課題を解決するための手段】
【００２１】
本発明の移動通信装置は、駆動制御回路から出力されるクロック信号により駆動される駆動回路を備えた同時送受信方式の移動通信装置であって、送受周波数間隔が前記クロック信号の高調波と一致するかまたは近傍にあるのかを判定する送受周波数間隔判定手段と、送信出力電力と予め設定された閾値とを比較する送信出力電力判定手段と、前記送受周波数間隔が前記クロック信号の高調波と一致または近傍であるものと判定され、かつ、前記送信出力電力が前記閾値以上であるものと判定されたとき、前記駆動制御回路のクロック信号の周波数を変更する周波数変更手段とを備えたものから構成されている。
【００２２】
この構成により、同時送受信方式に対応した移動通信装置において、クロック信号により駆動制御回路を駆動させたときに、送受周波数間隔が駆動制御回路のクロック信号の高調波と一致または近傍周波数であることにより発生するスプリアス成分の受信帯域に落ち込むのを回避することができ、受信性能の劣化を防止することができる。この結果、送受周波数間隔に適切に対応することができる。
【００２３】
また、本発明の移動通信装置は、駆動制御回路から出力されるクロック信号により駆動される撮像装置を備えた同時送受信方式の移動通信装置であって、送受周波数間隔が前記クロック信号の高調波と一致するかまたは近傍にあるのか判定する送受周波数間隔判定手段と、前記送受周波数間隔と一致するまたは近傍にある前記クロック信号の高調波と送信波とにより生成され受信帯域に落ち込むスプリアス成分を送信出力電力に対応付け、前記送信出力電力と予め設定された閾値との比較を行う送信出力電力判定手段と、前記送受周波数間隔が前記クロック信号の高調波と一致または近傍であるものと判定され、かつ、前記送信出力電力が前記閾値以上であるものと判定されたとき、前記駆動制御回路のクロック信号の周波数を変更する周波数変更手段とを備えたものから構成されている。   
この構成により、同時送受信方式に対応した移動通信装置において、クロック信号により撮像装置を駆動させたときに、送受周波数間隔が撮像装置のクロック信号の高調波と一致または近傍周波数であることにより発生するスプリアス成分の受信帯域に落ち込むのを回避することができ、受信性能の劣化を防止することができる。この結果、送受周波数間隔に適切に対応することができる。
【００２４】
また、本発明の移動通信装置は、前記周波数変更手段によって変更されたクロック信号を、変更前のクロック信号の高域側と低域側の何れか一方に可変可能であるものから構成されている。
【００２５】
この構成により、各周波数チャネルにおける送信出力電力や受信電界レベルの周波数特性を考慮して、駆動制御回路や撮像装置のクロック信号を適応的に制御することができ、良好な受信性能を確保することができる。
【００２６】
また、本発明の移動通信装置の前記送受周波数間隔判定手段は、複数の送受周波数間隔と前記クロック信号とが一致するかまたは近傍にあるのかを判定するものから構成されている。
【００２７】
この構成により、送受周波数間隔が変わる無線通信システムに適用した場合に、駆動制御回路や撮像装置のクロック信号を適宜制御することができ、スプリアス成分を受信帯域に落ち込まないようにするようにして、良好な受信性能を確保することができる。
【００２８】
また、本発明の移動通信装置は、送受周波数間隔が異なる複数の無線通信システムに接続されるものから構成されている。
この構成により、一方の無線通信システムの送受周波数間隔だけでなく、他方の無線通信システムの送受周波数間隔を考慮して駆動制御回路や撮像装置のクロック信号を適宜制御することができ、マルチモード無線通信環境下においても良好な受信性能を確保することができる。
【発明の効果】
【００２９】
以上説明したように、本発明は、クロック信号の高調波と送信波とによって生成されるスプリアス成分による受信性能劣化を防止することができ、送受周波数間隔に適切に対応することができる移動通信装置を提供することができる。
【発明を実施するための最良の形態】
【００３０】
以下、本発明の実施の形態について、図面を用いて詳細に説明する。
図１、図２は本発明に係る移動通信装置の第１の実施の形態を示す図であり、移動通信装置としては、通信機能を備えた移動通信装置であれば、携帯電話、パーソナルコンピュータ、ＰＤＡ（Personal Digital Assistant）等に適用可能である。
【００３１】
なお、図１は本実施の形態の移動通信装置の構成を示すブロック図、図２は本実施の形態の移動通信装置の送受周波数間隔に対応付けて記憶されるカメラのクロック信号の設定例を示す図である。
【００３２】
まず、構成を説明する。図１において、無線部１１は、移動通信システムに対して送信動作を行う送信回路１２と、移動通信システムに対して受信動作を行う受信回路１３と、送信回路１２と受信回路１３とを分離・結合するデュプレクサ１４と、通信環境に応じて複数のアンテナ１６を選択的に切り替えるアンテナスイッチ１５とを備えており、アンテナスイッチ１５にはアンテナ１６が接続されている。  
【００３３】
無線制御部１７は、ＣＰＵ（Central Processing Unit）、ＲＡＭ（Random Access Memory）、ＲＯＭ（Read Only Memory）等から構成されており、無線部１１における送信出力電力と受信電界レベルの検出・処理を行い、その結果をチャネルデータ信号としてカメラ制御部１８および送信出力電力判定部１９に出力する。
【００３４】
送信出力電力判定部（送信出力電力判定手段）１９はＣＰＵ、ＲＯＭ、ＲＡＭ等を備えており、無線制御部１７からの送信周波数のチャネルデータ信号を受け、送信出力電力を予め設定している閾値と比較し、送信出力電力が閾値以上であるときにカメラ制御部１８に出力するようになっている。
【００３５】
具体的には、送信出力電力判定部１９は、送受周波数間隔と一致するまたは近傍にある駆動クロック信号の高調波と送信波とにより生成され受信帯域に落ち込むスプリアス成分を送信出力電力に対応付け、送信出力電力と予め設定された閾値とを比較し、送信出力電力が閾値以上であるときにカメラ制御部１８に出力するようになっている。
【００３６】
カメラ制御部１８は、ＣＰＵ、ＲＯＭ、ＲＡＭ等を備えており、無線制御部１７からの送受周波数のチャネルデータ信号を受け、送受周波数間隔がカメラ部２０を駆動するクロック信号（以下、動作クロック信号という）の高調波と一致または近傍であるか否かを判定する。
【００３７】
そして、カメラ制御部１８は、送受周波数間隔が高調波と一致または近傍しているものと判定した場合に、送信出力電力判定部１９からの送信出力電力の判定結果が予め設定している閾値以上であるか否かを判定し、閾値以上である場合、カメラ制御部１８のＲＡＭに記憶されている図２に示す設定表から、送受周波数間隔に対応付けられた駆動クロック信号の設定値を読み出し、駆動クロック信号の変更を行い、カメラ部２０に出力する。
本実施の形態では、カメラ制御部１８が駆動制御回路、送受周波数間隔判定手段、周波数変更手段を構成している。
【００３８】
次に、周波数変更処理を説明する。
ここでは、本実施の形態の移動通信装置が無線通信システムとして可変周波数間隔に対応した８００ＭＨｚ帯Ｗ−ＣＤＭＡシステムに接続されている例を説明する。
【００３９】
まず、駆動クロック信号の初期値設定を９ＭＨｚとする。今、無線部１１において送信回路１２が周波数８３２．５ＭＨｚ、受信回路１３が周波数８７７．５ＭＨｚで通信動作をしており、同時にカメラ部２０が９ＭＨｚの駆動クロック信号で駆動しているものとする。
【００４０】
送信回路１２から送信される送信信号は、デュプレクサ１４およびアンテナスイッチ１５を介しアンテナ１６から送信される。このとき、カメラ部２０が駆動していると、駆動クロック信号がアンテナ１６を介してアンテナスイッチ１５に入力される。
【００４１】
このとき、アンテナスイッチ１５の非線形性によりアンテナスイッチ１５に入力された駆動クロック信号の高調波が発生し、この高調波と送信波とでスプリアス成分が生成される。
上述したように周波数を設定した場合には、送受周波数間隔は４５ＭＨｚであり、発生するスプリアス成分は受信周波数と一致する８７７．５ＭＨｚとなる。
【００４２】
具体的には、受信回路１３に入力される周波数成分より、スプリアス成分ｆｉｍが生成されるが、スプリアス成分ｆｉｍはｆｔｘ±ｆｃ×ｎ（ｎは整数、高調波を指す）で与えられる。
【００４３】
ここでは、送信波ｆｔｘ＝８３２．５ＭＨｚ、受信波ｆｒｘ＝８７７．５ＭＨｚ、ｆｃ＝９ＭＨｚであるので、ｆｉｍは８３２．５ＭＨｚ±９ＭＨｚ×５＝８７７．５ＭＨｚとなり、受信周波数と一致するスプリアス成分が生成される。
【００４４】
ここで、無線制御部１７は無線部１１からの送受周波数信号を検出・処理し、チャネルデータ信号としてカメラ制御部１８および送信出力電力判定部１９にそれぞれ出力する。
【００４５】
送信出力電力判定部１９は、例えば送信出力電力が最大出力である＋２４ｄＢｍであったとき、この送信チャネルデータ信号を無線制御部１７から受け、予め設定している閾値、例えば−５６ｄＢｍとの比較を行い、閾値以上であるものと判定してその結果をカメラ制御部１８に出力する。
カメラ制御部１８は無線制御部１７から送受信チャネルデータ信号を受け、送受周波数間隔が駆動クロック信号の高調波と一致または近傍であるか否かを判定する。
【００４６】
このとき、５倍高調波であり、送受周波数間隔が４５ＭＨｚ、駆動クロック信号が９ＭＨｚであることから、判定は一致を判定する。このとき、送信出力電力判定部１９からの送信出力電力の判定結果が予め設定されている閾値値以上の判定であるか否かの判定を行い、閾値以上の場合、図２に示す送受周波数間隔に対応付けられて記憶される駆動クロック信号の設定値を読み出し、駆動クロック信号の変更を行う。
【００４７】
図２の設定表から送受周波数間隔が４５ＭＨｚであるとき、駆動クロック信号は８．２ＭＨｚに変更される。駆動クロック信号が８．２ＭＨｚであるとき、受信帯域近傍に生成されるスプリアス成分は、上述した式により８７３．５ＭＨｚおよび８８１．７ＭＨｚとなり、帯域幅３．８４ＭＨｚを考慮しても帯域に掛かることはないため、受信性能の劣化を回避することができる。
【００４８】
一方、送信周波数が８３２．５ＭＨｚ、受信周波数が８８２．５ＭＨｚと送受周波数が変化した場合、送受周波数間隔は５０ＭＨｚとなり、駆動クロック信号８．２ＭＨｚの６倍高調波が４９．２ＭＨｚとなるため、カメラ制御部１８は近傍であると判定し、駆動クロック信号８．２ＭＨｚと送信周波数８３２．５ＭＨｚとで生成される８８１．７ＭＨｚのスプリアス成分が受信帯域に落ち込む。
【００４９】
また、上述したものと同様の手段により、送信出力電力判定部１９において送信出力電力が予め設定している閾値以上であるものと判定したとき、送受周波数間隔５０ＭＨｚの設定値より、駆動クロック信号を９ＭＨｚに変更し、受信帯域に落ち込むスプリアス成分を回避することができ、良好な受信性能を確保することができる。
【００５０】
このように本実施の形態では、送受周波数間隔がカメラ部２０を駆動する駆動クロック信号の高調波と一致するかまたは近傍にあるのかを判定し、送受周波数間隔と一致するまたは近傍にある駆動クロック信号の高調波と送信波とにより生成され受信帯域に落ち込むスプリアス成分を送信出力電力に対応付け、送信出力電力と予め設定された閾値との比較を行い、送受周波数間隔がカメラ部２０の駆動クロック信号の高調波と一致または近傍であるものと判定され、かつ、送信出力電力が閾値以上であるものと判定されたとき、カメラ部２０の駆動クロック信号の周波数を変更するようにした。
【００５１】
このため、同時送受信方式に対応した移動通信装置において、駆動クロック信号によりカメラ部２０を駆動させたときに、送受周波数間隔がカメラ部２０の駆動クロック信号の高調波と一致または近傍周波数であることにより発生するスプリアス成分の受信帯域に落ち込むのを回避することができ、受信性能の劣化を防止することができる。この結果、送受周波数間隔に適切に対応することができる。
【００５２】
また、本実施の形態にあっては、変更後の駆動クロック信号を変更前の駆動クロック信号の高域側または低域側の何れかに制御するようにしても良い。例えば送信周波数８３２．５ＭＨｚ、受信周波数８８２．５ＭＨｚで送受周波数間隔が４５ＭＨｚであるのと同様に、送信周波数８３７．５ＭＨｚ、受信周波数８８２．５ＭＨｚのときも送受周波数間隔が４５ＭＨｚとなる。
【００５３】
この場合、各送受信チャネルにおける送信出力電力や、受信感度は周波数特性を持っているために、駆動クロック信号と高調波によって生成され受信帯域に落ち込むスプリアス成分のレベルもそれぞれ違ったレベルとなる。
【００５４】
したがって、駆動クロック信号を高域側または低域側の何れかに変更する設定値を設けることにより、周波数特性を考慮した詳細な制御を行うことができ、良好な受信性能を確保することができる。
【００５５】
また、本実施の形態では、駆動回路としてカメラに適用してカメラの駆動クロック信号の周波数を変更しているが、これに限らず、例えばＬＣＤ（Liquid Crystal Display）やＳＤカード等の他アプリケーションデバイスの基準クロック、あるいは、伝送系の基準クロック等に対して適用しても良い。このようにしても移動通信装置の動作モードに応じて適応的に複数の駆動クロック信号を制御することができ、良好な受信感度を得ることができる。
【００５６】
図３は本発明に係る移動通信装置の第２の実施の形態を示す図であり、第１の実施の形態と同様の構成には同一番号を付して説明を省略する。
本実施の形態の移動通信装置は、送受周波数間隔が異なる複数の無線通信システムに接続されるようになっており、カメラ制御部１８は複数の送受周波数間隔と駆動クロック信号とが一致するかまたは近傍にあるのかを判定するようになっている。
【００５７】
図３において、無線部３１は、第１の無線通信システムの通信時に送信動作を行う第１の送信回路３２と、第１の無線通信システムの通信時に受信動作を行う第１の受信回路３３と、送受周波数間隔が第１の無線通信システムと異なる第２の無線通信システムの通信時に送信動作を行う第２の送信回路３４と、第２の無線通信システムの通信時に受信動作を行う第２の受信回路３５と、第１の送信回路３２と第１の受信回路３３とを分離・結合するデュプレクサ３６と、第２の送信回路３４と第２の受信回路３５とを分離・結合するデュプレクサ３７と、通信環境に応じて複数のアンテナ１６を選択的に切り替えるアンテナスイッチ３８とを備えている。
【００５８】
次に、周波数変更処理を説明する。
本実施の形態では、第１の無線通信システムを２ＧＨｚ帯Ｗ−ＣＤＭＡシステムに、第２の無線通信システムを８００ＭＨｚ帯Ｗ−ＣＤＭＡシステムに接続したものとすると、第１の無線通信システムの送受周波数間隔は１９０ＭＨｚ、第２の無線通信システムの送受周波数間隔は４５ＭＨｚとなる。
【００５９】
駆動クロック信号が８．２ＭＨｚに設定されている場合には、第１の実施の形態で説明したように第２の無線通信システムはスプリアス成分による受信性能劣化は回避できるが、第１の無線通信システムでは８．２ＭＨｚの２３倍高調波が１８８．６ＭＨｚであり、送受周波数間隔１９０ＭＨｚの近傍となってしまい、受信帯域にスプリアス成分が落ち込んでしまう。
【００６０】
したがって、このように送受周波数間隔が異なる複数の無線通信システムに対応する場合には、双方の無線通信システムの送受周波数間隔に対応付けられた駆動クロック信号の設定値をカメラ制御部１８のＲＡＭに記憶し、第１の実施の形態で説明した処理と同様にして随時それぞれの設定値を読み出すことにより、適応的に駆動クロック信号を変更することができ、通信時における駆動クロック信号による受信性能劣化を防ぐことができる。
【００６１】
すなわち、カメラ制御部１８は、異なる送受周波数間隔が高調波と一致または近傍にあるのかを判定し、一致または近傍にあるものと判定した場合に、送信出力電力判定部１９からの送信出力電力の判定結果が予め設定している閾値以上であるか否かを判定し、閾値以上である場合、カメラ制御部１８のＲＡＭに記憶されている駆動クロック信号の設定表値から、送受周波数間隔に対応付けられた駆動クロック信号の設定値を読み出し、駆動クロック信号の変更を行い、カメラ部２０に出力する。
【００６２】
このように本実施の形態では、カメラ制御部１８が複数の送受周波数間隔と駆動クロック信号とが一致するかまたは近傍にあるのかを判定可能になっているため、カメラ部２０の駆動クロック信号を適宜制御することができ、スプリアス成分を受信帯域に落ち込まないようにするようにして、良好な受信性能を確保することができる。
【００６３】
また、本実施の形態の移動通信装置は、送受周波数間隔が異なる複数の無線通信システムに接続されるので、第１の無線通信システムの送受周波数間隔だけでなく、第２の無線通信システムの送受周波数間隔を考慮してカメラ部２０の駆動クロック信号を適宜制御することができ、マルチモード無線通信環境下においても良好な受信性能を確保することができる。
【産業上の利用可能性】
【００６４】
以上のように、本発明に係る移動通信装置は、クロック信号の高調波と送信波とによって生成されるスプリアス成分による受信性能劣化を防止することができ、送受周波数間隔に適切に対応することができるという効果を有し、クロック信号によって駆動される撮像装置等の駆動回路を搭載した同時送受信方式に対応した移動通信装置等として有用である。
【図面の簡単な説明】
【００６５】
【図１】本発明の第１の実施の形態の移動通信装置の構成を示すブロック図
【図２】本発明の第１の実施の形態の移動通信装置の送受周波数間隔に対応付けて記憶される駆動クロック信号の設定例を示す図
【図３】本発明の第２の実施形態の移動通信装置の構成を示すブロック図
【図４】同時送受信方式に対応した移動通信装置のスプリアス成分の発生メカニズムを説明するためのブロック図
【符号の説明】
【００６６】
１８  カメラ制御部（駆動制御回路、送受周波数間隔判定手段、周波数変更手段）
１９  送信出力電力判定部（送信出力電力判定手段）   
２０  カメラ部（撮像装置）
【図１】
2006319891.tif 000003
【図２】
2006319891.tif 000004
【図３】
2006319891.tif 000005
【図４】
2006319891.tif 000006